(57)【要約】      （修正有） 【課題】従来の引違い扉錠は多く種類が作られているがどれも防犯強度が弱く、操作がしにくく、強度と作動に信頼性が足りない。特に内外扉間のコジ広げに対して弱く、次に内外扉間の隙間から行なう不正解錠に弱い。その弱点を無くすと同時に使い易く、信頼性の高い引違い扉錠を提供する。【解決手段】引違い扉錠の扉に煙返しのフック１４と爪９を設け、煙返しによってコジ広げと内外扉間の隙間から行なう不正解錠を防止する事で、錠の構造を簡単にして操作し易く信頼性の高い引違い扉錠を作った。煙返しの有る扉ではその煙返しを利用して同様の錠を作った。煙返しを利用する事で錠の施錠強度は扉の開閉方向の固定強度だけで良くなる。【選択図】図１
2005282293.tif 000002
【特許請求の範囲】
【請求項１】
煙返しの付いていない引違い扉に使用する引違い扉錠で、外側扉と内側扉に分けて取り付ける引違い扉錠の外側扉側又は内側扉側に煙返しのフック(１４)を設け、内側扉側又は外側扉側に煙返しの爪(９)を設けた煙返しを持つ引違い扉錠で、鍵の施錠要素である内外扉間のコジ広げ防止と、内外扉間の透き間から行なう不正解錠防止と、施錠した状態の扉を持ち上げて扉を外す事の防止を、錠に組み付けた煙返しで行なう事を特徴とする引違い扉錠。
【請求項２】
引違い扉錠に煙返しを設けた事で、煙返しが内外扉間のコジ広げ防止と、内外扉間の透き間から行なう不正解錠防止と、施錠した扉の持ち上げ防止の機能を分担し、錠機能からはその分の機能が必要無くなり、錠機能は扉の施錠にあたり、扉がスライドして開く方向に対する扉の固定だけで良くなる為に、鎌の無いカンヌキ(１５)を錠受けプレート(８)の錠受け穴（１６）に単純な動作で突き出して施錠を行なう請求項１記載の引違い扉錠。
【請求項３】
煙返しの付いた引違い扉に使用する引違い扉錠で、錠から煙返しのフック(１４)と煙返しの爪(９)を取り外し、煙返しの機能を扉の煙返しに持たせる事で錠からはその分の機能が必要無くなり、錠機能は扉の施錠にあたり鎌の無いカンヌキを錠受けプレートに単純な動作で突き出して施錠を行なう、煙返しを取り外した請求項２記載の引違い扉錠。
【請求項４】
煙返しの付いていない引違い扉に使用する引違い扉錠で、錠本体から煙返しのフックと爪を分け、フック（９９）の付いたフックプレート（９３）と爪（１００）の付いた爪プレート（９４）を錠に組み合わせて使用する事で、煙返しの無い扉に取り付けて同様の防犯効果を得る事ができる、錠からフックと爪を分離して組み合わせた請求項１、２記載の引違い扉錠。
【発明の詳細な説明】
【技術分野】
【０００１】
本発明は引違い扉の施錠を行なう引違い扉錠の防犯性能と操作性向上に関する。
【背景技術】
【０００２】
特許文献１には引違い扉錠を、特許文献２には煙返し付サッシがある。
従来の引違い扉錠に共通する構造と、共通する問題を説明する。
現在までに多くの種類の引違い扉錠が作られたが、室内外から操作のできる引違い扉錠では未だ防犯性の高い、使い易い錠は見られない。
【０００３】
共通する構造を図１、２、３Aで説明する。
錠は室外側扉と室内側扉に錠の構造体が分かれて取り付けられ、図３Ａは外扉側錠ケースから内扉錠ケースの錠受けプレートに鎌の付いたカンヌキを回転させて突き出し、引掛ける事で施錠し、引掛ける事で内外扉間のコジ広げを防止する。
【０００４】
室内外の両側からの施解錠操作を可能にする為に、外扉側錠ケースから内扉側錠ケースに連動軸を突き出し、内扉側錠ケースからも外扉側錠ケースに連動軸を突き出す。どちら側から操作しても連動軸によって施解錠ができる。
【０００５】
図では外扉側錠ケースからカンヌキを突き出すが、内扉側錠ケースからカンヌキを突き出すものもある。その場合は外扉側錠ケース側に錠受けプレートが付く。そのような錠の１部には、錠の作動機構を内扉側錠ケースにすべてまとめたものもあり、合鍵を外扉を貫通させて内扉のシリンダーに差し込んで操作するものもある。
【０００６】
共通する問題点を図３、４で説明する。
内外扉間のコジ広げはバールを使って図４A、Bのように行なう。
このコジ広げ防止の為に、図３Aのカンヌキに設けた鎌を錠受けに引掛けて施錠するが、錠の寸法や構造の都合で強度は非常に小さく、小型のバールで簡単にカンヌキは破壊されてコジ広げられてしまう。
【０００７】
内外扉の間の透き間から、施錠した状態の連動軸を針金等を使って回し、不正解錠する事ができる。
それを防止する為にガード機構も合わせて作動させる必要がある。施錠したままの扉を持ち上げても枠から外せなくする必要もある。
【特許文献１】特開平９−１５１６４０号公報
【特許文献２】特開平８−１８９２３４号公報
【発明の開示】
【発明が解決しようとする課題】
【０００８】
コジ広げ防止の為に行なう、カンヌキを回転させて鎌を錠受けに引掛けて施錠することの問題として、合鍵やレバーを操作して行う施解錠操作が重くなり操作しにくい。
小さい錠ケース内でカンヌキを回転させて突き出す為にカンヌキ、カンヌキの軸、軸受け共に有効な強度を確保できない。
よって小型のバールを使って軽くコジ広げただけですぐ錠は破壊される。  
【０００９】
カンヌキと合わせて連動軸を動かし、連動軸をガードするガード機構も同時に動かす為に構造はますます複雑となり、破壊に対して弱くなる。操作もますます重くなり、操作しにくくなる。作動の信  頼性も小さくなる。          
【００１０】
以上の問題に対して、コジ広げに対して有効な防犯強度を確保し、軽い力で施解錠操作ができるようにし、施解錠操作をスムーズに行えるようにし、作動の信頼性向上を図り、錠の構造を簡単なものとし、引違い扉錠としての防犯性全般の強度向上を図ることが、課題である。
【課題を解決するための手段】
【００１１】
引違い扉錠の従来と同じ寸法や取り付け方法では、上記課題を何一つ解決する事はできない。そこで、引違い扉錠に錠以外の機能を追加して設け、防犯機能を分担させる事を考えた。施錠時の内外扉間のチリ寸法コジ広げ防止対策として、錠に煙返しを設ける事を考えた。
【００１２】
従来から煙返しは普通に使用されているものである。従来の煙返しを図５で説明する。従来の煙返しは、全て扉に取り付けるものであり、錠に取り付けたものは見られない。
図５Aは主にアルミ製の窓で見られる。
図５Bは鋼製の引き分け扉で時々見られる。
図５Cは、３枚引きの引き戸を１個の錠で施解錠するタイプのものでまれに見られる。
扉で煙返しを使う目的は扉同士のストッパーとしての意味が大きい。
この煙返しが扉についていれば煙返しによって扉のコジ広げ防止と、内外扉間の隙間から行なう不正解錠防止と、施錠した扉の外し防止ができる。
【００１３】
煙返しが付いていない扉では、錠に煙返しを組み付けてしまえば煙返しとしての機能が発揮できる。それが請求項１記載の引違い扉錠であり、図１及び図２で示した錠である。
煙返しは外扉側錠ケースのフロントプレートに設けたフックと、内扉側錠ケースの錠受けプレートに設けた爪で成立する。
外扉側錠ケースに錠受けが有り、内扉側錠ケースにカンヌキの有る引違い扉錠では、外扉側錠ケースの錠受けにフックを設け、内扉側錠ケースのフロントプレートに爪を設ける事となる。
図２Aが解錠状態であり、図２Bが施錠状態である。
外扉と内扉をコジ広げようとしても、錠に設けた煙返しによってコジ広げができない。コジ広げによってカンヌキに掛かるはずの力が煙返しの効果で掛からず、錠のカンヌキにコジ広げ対策をする必要が無くなる。
なお、図１及び図２で示した煙返しは、上述したように、外扉側錠ケースのフロントプレートに設けたフックと、内扉側錠ケースの錠受けプレートに設けた爪からなるが、これとは逆の組み合わせのものであってもよい。即ち、外扉側錠ケースのフロントプレートに設けた爪と、内扉側錠ケースの錠受けプレートに設けたフックから成るものであってもよい。
【００１４】
煙返しが有れば内外扉間の透き間から道具を差し込んで行なう不正解錠も同時にできなくなる。その為にその不正解錠防止対策も必要無くなる。
錠に煙返しを設ければ、図３Bで示した錠のカンヌキのようにカンヌキに鎌は必要無くなり、一般の開き扉錠のカンヌキのように単に長方形のカンヌキを突き出すだけでよくなり、内外扉間の隙間から行なう不正解錠防止対策も必要が無くなる。施錠状態の扉を持ち上げて外す事も合わせて防止でき、それだけ錠の構造が簡単になり、作動の信頼性が増し、軽い力で操作できる錠を作る事が可能となる。
それが請求項２記載の引違い扉錠である。
【００１５】
扉に煙返しが付いていれば、錠には煙返しを設ける必要が無い。
扉に煙返しが付いている為にカンヌキに鎌は必要無く、内外扉間の透き間から行う不正解錠の防止対策もする必要が無い。それが請求項３記載の引違い扉錠である。
【００１６】
煙返しの無い扉に対して、簡単な煙返しを設ける事で請求項３記載の引違い扉錠を取り付ける事が可能となる。
扉に簡単な煙返しを設ける場合は、錠を保護する意味から錠の周囲に設けなければならない。錠から離して取り付けては針金やドライバーを使った錠破りから錠を保護できない。
【００１７】
その為に錠と煙返しを分離して、錠と組み合わせて取り付けるのが図６で示した請求項４記載の引違い扉錠である。
フックプレート（９３）はフロントプレート（９５）と外側扉（９１）の間に挟んで取り付けるとより防犯強度が得られる。
爪プレート（９４）は錠受けプレート（９７）と内側扉（９２）の間に挟んで取り付けるとより防犯強度が得られる。
【発明の効果】
【００１８】
従来の引違い扉錠は、全ての錠が扉に煙返しが無い状態で使用しても良いように錠のカンヌキに鎌を設け、内外扉間の隙間から行う不正解錠の防止対策の工夫を設け、施錠した扉を持ち上げて外される事の防止も工夫をしている。
しかし従来のどの錠もコジ広げに対する強度が弱く、操作性、動作性、信頼性に満足の行く錠は見られない。
発明は煙返しを引違い扉錠に組み付ける事で、従来に無い錠構造を可能にするとともに、防犯強度や操作性の向上を可能にしたものである。
また、煙返しの付いた扉ではその煙返しの機能を利用する事で、錠構造を簡単にするとともに防犯強度や操作性の向上を可能にしたものである。
引違い扉錠に煙返しを設ける。または煙返しと組み合わせて取り付ける事で、煙返しに内外扉のコジ広げと内外扉間の隙間から行う不正解錠の防止と、施錠した扉を持ち上げて外す事の防止の仕事を担当させ、錠の構造を簡単にして、操作性と信頼性の高い錠の製作を可能にするものである。
【発明を実施するための最良の形態】
【００１９】
図５Aのような引違い扉は一般住宅の玄関や学校の教室入口、他で意外と多いものである。その中で高い防犯性と操作性、信頼性を求められた時に本発明の錠が有効である。
扉に煙返しが無かった時は請求項１、２記載の煙返しを持つ引違い扉錠が有効である。図１，２で示したものである。
扉に煙返しがある場合は請求項３記載の、請求項２記載の錠から煙返しを取り去った引違い扉錠が有効である。
【００２０】
煙返しは内外扉間のコジ広げを自動的に有効に防止し、その防止強度も簡単に大きい強度を得る事ができる。煙返しはまた、内外扉間の隙間を自動的に塞ぐことで不正操作を効果的に防止でき、施錠した扉を持ち上げても扉を外せなくすることができる。
【００２１】
煙返しを利用すれば、錠の必要な防犯機能としては扉の開閉方向へのスライドを止めるだけで良い。錠にはその事だけの機能と強度を確保すれば良いので、構造が簡単となり強度の向上も実現し易くなり、錠としての強度と作動の信頼性の高い錠を作り易くなる。
【００２２】
引違い扉錠に必要な防犯機能は、内外扉間をコジ広げて扉を開ける錠破りに対する強度と、内外扉間の透き間から行なう錠の破壊や不正操作を防止する強度と、扉の持ち上げ防止や扉を持ち上げても扉を枠から外せなくする強度と、扉を閉じた状態で扉のスライドを止める強度である。
従来の引違い扉錠には煙返しの機能を利用したものは無く、錠機能のみでこれら全部の機能を確保しようとする為に強度上の無理が生じ、操作性が悪くなり、信頼性の低下の原因となっている。
【００２３】
引違い扉錠に煙返しを設け、または煙返しの付いた扉にはその煙返しの機能を利用する事で、それらの必要な防犯性能は煙返しに全て担当させて解決し、錠の機能は扉を閉じた状態で扉のスライドを止める事だけに集中すれば良い。これが本発明の引違い扉錠の原理である。
錠の構造が簡単になり、その結果錠の強度が向上し、操作が軽く、操作性が良く、信頼性の高い錠となる。
【図面の簡単な説明】
【００２４】
【図１】発明の煙返しを持つ引違い扉錠の内観斜視図である。
【図２】A  図1のA方向水平画面で、解錠状態を示す。            B  施錠状態を示す。
【図３】A  従来の引違い扉錠外扉側錠ケースの内観斜視図で、カンヌキ形を示す。            B  請求項２記載の引違い扉錠のカンヌキ形を示す。
【図４】A  従来の引違い扉錠の図２Bにあたる図で、バールを使ったコジ広げを示す。            B  コジ広げ完了状態を示す。
【図５】A  引違い扉に設けた従来の煙返しの仕組みを示す。            B  引分け扉に設けた従来の煙返しの仕組みを示す。            C  ３枚片引扉に設けた従来の煙返しの仕組みを示す。
【図６】フックと爪を錠から切り離して組み合わせた請求項４記載の引違い扉錠である。
【符号の説明】
【００２５】
１      外側扉
２      内側扉
３      内扉側錠ケース
４      化粧座
５      操作レバー
６      取り付けバー
７      取り付けネジ
８      錠受けプレート
９      爪
１０      外扉側錠ケース
１１      化粧座
１２      取り付けバー
１３      フロントプレート
１４      フック
１５      カンヌキ
１６      錠受け穴
１７      室外側
１８      室内側
１９      連動軸
２０      シリンダー
２１      ギア
３１      フロントプレート
３２      連動軸
３３      カンヌキ
３４      鎌
３５      取り付けネジ
３６      外扉側錠ケース
３７      化粧座
３８      取り付けバー
３９      錠受けプレート
４０      内扉側錠ケース
４１      化粧座
４２      外側扉
４３      内側扉
４４      内外扉間チリ寸法
４５      内外錠間チリ寸法
４６      バールの柄
４７      バールの爪
５１      壁
５２      外扉
５３      内扉
５４      煙返し
５５      扉開閉方向
５６      扉開閉方向
５７      施錠位置
６１      壁
６２      右扉
６３      左扉
６４      煙返し
６５      煙返し
６６      扉開閉方向
６７      扉開閉方向
６８      施錠位置
７１      壁
７２      戸先扉
７３      中扉
７４      戸尻扉
７５      煙返し
７６      煙返し
７７      煙返し
７８      扉開閉方向
７９      扉開閉方向
８０      扉開閉方向
８１      施錠位置
９１      外側扉
９２      内側扉
９３      フックプレート
９４      爪プレート
９５      フロントプレート
９６      カンヌキ
９７      錠受プレート
９８      錠受け穴
９９      フック
１００    爪
【図５】
2005282293.tif 000003
【図１】
2005282293.tif 000004
【図２】
2005282293.tif 000005
【図３】
2005282293.tif 000006
【図４】
2005282293.tif 000007
【図６】
2005282293.tif 000008